(57)【要約】 【課題】  舌が接触した場合の違和感を低減することができると共に、会話や発音に影響を与えることのない局部義歯を提供する。【解決手段】  人工歯１１、１１・・・を保持する複数の義歯床１２ａ、１２ｂと、複数の義歯床１２ａ、１２ｂを互いに連結する連結部１３とを有する局部義歯１０であって、連結部１３は、装着者の残存歯１４ａ、１４ｂ・・・の内側面１５に沿って当接して固定されるように形成されている。【選択図】  図１
2018064656.tif 000002
【特許請求の範囲】
【請求項１】
人工歯を保持する複数の義歯床と、前記複数の義歯床を互いに連結する連結部とを有する局部義歯であって、
前記連結部は、装着者の残存歯の内側面に沿って当接して固定されるように形成されていることを特徴とする局部義歯。
【請求項２】
前記連結部は、前記残存歯の内側面の表面形状と同一の形状に形成されていることを特徴とする請求項１記載の局部義歯。
【請求項３】
前記連結部は、セラミックス製であることを特徴とする請求項１又は２に記載の局部義歯。
【請求項４】
前記連結部は、金属製であることを特徴とする請求項１又は２に記載の局部義歯。
【請求項５】
前記連結部の外表面には被覆部が形成されていることを特徴とする請求項４記載の局部義歯。
【発明の詳細な説明】
【技術分野】
【０００１】
本発明は、局部義歯に関するものである。
【背景技術】
【０００２】
従来より、部分的な歯の喪失を補う為に用いられる歯科の補綴装置として、局部義歯が知られている。一般に、局部義歯を口腔内に安定して固定し、その固定状態を維持するために、局部義歯は、口腔内の口蓋や歯肉、残存歯に対して支持固定するための装着構造を有している。
特に、２以上の義歯が離間して配置される局部義歯にあっては、義歯を連結するために、リンガルプレートと呼ばれる下顎の大連結子であって歯肉に沿って配置される幅広の薄いプレートや、リンガルバーと呼ばれる下顎の大連結子であって歯肉に沿って配置される細長の棒材、パラタルプレートと呼ばれる上顎の大連結子であって口蓋に沿って配置される幅広の薄いプレート、パラタルバーと呼ばれる上顎の大連結子であって口蓋に沿って配置される細長の棒材が用いられている。
【０００３】
しかしながら、前記のような大連結子は、金属製又はセラミックス製であってある程度の硬度を有する一方で、軟組織である歯肉や口蓋に沿って配置固定されるため、例えば大連結子に舌が接触した場合の違和感が大きいという不具合があった。また、食物の咀嚼に影響し、会話、発音に障害を伴うという不具合もあった。
【０００４】
本件特許出願人は先行技術を調査し、以下の文献を発見したが、前記不具合を解消するような文献ではなかった。
【先行技術文献】
【特許文献】
【０００５】
【特許文献１】実開平３−９４２１０号公報
【発明の概要】
【発明が解決しようとする課題】
【０００６】
本発明は、以上のような従来からの不具合を解消するためのものであって、その課題は、舌が接触した場合の違和感を低減することができると共に、会話や発音に影響を与えることのない局部義歯を提供することにある。
【課題を解決するための手段】
【０００７】
前記課題を解決するために、請求項１記載の発明にあっては、人工歯を保持する複数の義歯床と、前記複数の義歯床を互いに連結する連結部とを有する局部義歯であって、前記連結部は、装着者の残存歯の内側面に沿って当接して固定されることを特徴とする。
【０００８】
従って、前記局部義歯を前記装着者に装着した場合には、前記連結部は前記装着者の前記残存歯の内側面に沿って当接して固定される。
【０００９】
請求項２記載の発明にあっては、前記連結部は、前記残存歯の内側面の表面形状と同一の形状に形成されていることを特徴とする。
【００１０】
請求項３記載の発明にあっては、前記連結部は、セラミックス製であることを特徴とする。
【００１１】
請求項４記載の発明にあっては、前記連結部は、金属製であることを特徴とする。
【００１２】
請求項５記載の発明にあっては、前記連結部の外表面には被覆部が形成されていることを特徴とする。
従って、前記連結部の外表面は、前記被覆部により被覆される。
【発明の効果】
【００１３】
請求項１〜５記載の局部義歯にあっては、前記局部義歯を前記装着者に装着した場合には、前記連結部は前記装着者の前記残存歯の内側面に沿って当接して固定されるので、前記局部義歯を前記装着者の前記残存歯の内側面に確実に固定することができ、その結果、従来の局部義歯のように、軟組織である歯肉や口蓋に沿って配置固定されることがなく、舌が接触した場合の違和感を低減することができると共に、会話や発音に影響を与えることのない局部義歯を提供することができる。
特に、請求項２記載の局部義歯にあっては、前記連結部は、前記残存歯の内側面の表面形状と同一の形状に形成されているので、前記連結部は、前記残存歯の内側面に当接し、その結果、前記連結部を前記残存歯の内側面により確実に固定することができる。
【００１４】
また、請求項３記載の局部義歯にあっては、前記連結部がセラミックス製であるので、前記連結部がセラミックス由来の十分な強度を有し、前記連結部が破損するといった事態を防止することができる。
【００１５】
また、請求項４記載の局部義歯にあっては、前記連結部が金属製であるので、前記連結部が金属由来の十分な強度を有し、前記連結部が破損するといった事態を防止することができる。
【００１６】
また、請求項５記載の局部義歯にあっては、前記連結部の外表面は、前記被覆部により被覆されるので、前記連結部が外部から見えて目立ってしまうという事態を防止することができ、その結果、審美性を高めることができる。
【図面の簡単な説明】
【００１７】
【図１】図１は、本発明に係る局部義歯の一実施形態において、局部義歯を装着した状態を示す斜視図である。
【図２】図２は、本発明に係る局部義歯の一実施形態を示す正面側斜視図である。
【図３】図３は、本発明に係る局部義歯の一実施形態を示す背面側斜視図である。
【発明を実施するための形態】
【００１８】
以下、本発明の一実施の形態に係る局部義歯を図面を参照して詳細に説明する。
図１〜図３に示すように、本実施の形態に係る局部義歯１０は、装着者の口腔内３０に配置され、人工歯１１、１１・・・を保持する義歯床１２ａ、１２ｂと、義歯床１２ａ、１２ｂを互いに連結する連結部１３とを有している。
本実施の形態に係る義歯床１２ａ、１２ｂは、一般的に義歯床に使用されるＰＭＭＡ（ポリメチルメタクリレート）等の加熱重合レジンや常温重合レジンにより構成されている。また、本実施の形態に係る人工歯１１、１１・・・は、一般的に人工歯に使用される白色の合成樹脂により構成されている。
図１〜図３に示すように、本実施の形態に係る局部義歯１０は、下顎における歯列内の離れた位置にある左側７番〜５番欠損、及び、右側５番〜７番欠損を人工歯１１、１１・・・で補うためのものであって、人工歯１１、１１・・・を保持する義歯床１２ａ、１２ｂは、欠損した箇所の顎堤粘膜に係合するように、歯列に沿って平面円弧状のカーブを有すると共に、歯列方向断面が略Ｕ字状に凹設されている。
また、図１及び図２に示すように、本実施の形態に係る残存歯１４ａ、１４ｂ、１４ｃ、１４ｄ、１４ｅ、１４ｆ、１４ｇ、１４ｈは、夫々、左側４番〜１番、右側１番〜４番に相当する。
【００１９】
また、図１〜図３に示すように、本実施の形態に係る連結部１３は、装着者の残存歯１４ａ、１４ｂ、１４ｃ、１４ｄ、１４ｅ、１４ｆ、１４ｇ、１４ｈの内側面１５に沿って当接して固定されるように形成されている。本実施の形態に係る連結部１３は金属製であって、例えば、装着者の残存歯１４ａ、１４ｂ・・・の型取りをすることによって、残存歯１４ａ、１４ｂ・・・の内側面１５の表面形状と同一の形状に形成されていると共に、残存歯１４ａ、１４ｂ・・・の平面円弧状のカーブと同一の曲率のカーブを以って形成されている。
【００２０】
また、図１及び図２に示すように、本実施の形態に係る連結部１３の外表面には被覆部１６が形成されている。本実施の形態に係る被覆部１６は、金属製の連結部１３の外表面にオペークを焼結することによって形成されている。
ここで、オペークとは、オペーク陶材とも呼ばれ、金属表面の酸化膜と結合した０．２〜０．３ｍｍの被膜として焼結して形成される。
【００２１】
また、図３に示すように、本実施の形態に係る連結部１３には、両端部１７、１７から延設され、義歯床１２ａ、１２ｂの内部に固定される連結部固定部１８、１８が形成されている。図３に示すように、本実施の形態に係る連結部固定部１８、１８は、義歯床１２ａ、１２ｂを形成するＰＭＭＡ（ポリメチルメタクリレート）等の加熱重合レジンや常温重合レジンに埋設されている。
【００２２】
以下、本実施の形態に係る局部義歯１０の作用について、添付図面を参照して説明する。
図１に示すように、本実施の形態に係る局部義歯１０は、装着者の口腔内３０に装着して使用する。この際、本実施の形態に係る局部義歯１０にあっては、連結部１３は前記装着者の残存歯１４ａ、１４ｂ・・・の内側面１５に沿って当接して固定されるので、局部義歯１０を前記装着者の残存歯１４ａ、１４ｂ・・・の内側面１５に確実に固定することができる。
その結果、従来の局部義歯のように、軟組織である歯肉や口蓋に沿って配置固定されることがなく、舌が接触した場合の違和感を低減することができると共に、会話や発音に影響を与えることのない局部義歯を提供することができる。
特に、本実施の形態に係る連結部１３は、残存歯１４ａ、１４ｂ・・・の内側面１５の表面形状と同一の形状に形成されているので、連結部１３は、前記残存歯の内側面に当接し、その結果、連結部１３を残存歯１４ａ、１４ｂ・・・の内側面により確実に固定することができる。
【００２３】
また、本実施の形態に係る連結部１３は金属製であるので、連結部１３が金属由来の十分な強度を有し、連結部１３が破損するといった事態を防止することができる。
【００２４】
また、本実施の形態に係る局部義歯１０にあっては、連結部１３の外表面は、被覆部１６により被覆されるので、連結部１３が外部から見えて目立ってしまうという事態を防止することができ、その結果、審美性を高めることができる。
【００２５】
本実施の形態に係る局部義歯１０にあっては、連結部１３が金属製である場合を例に説明したが、前記構成に限定されず、連結部１３がセラミックス製であってもよい。この場合には、連結部１３がセラミックス由来の十分な強度を有し、連結部１３が破損するといった事態を防止することができる。
【産業上の利用可能性】
【００２６】
本発明に係る局部義歯は、義歯の固定構造として広く使用することができ、産業上利用可能性を有している。
【符号の説明】
【００２７】
１０：局部義歯
１１：人工歯
１２ａ、１２ｂ：義歯床
１３：連結部
１４ａ、１４ｂ、１４ｃ、１４ｄ、１４ｅ、１４ｆ、１４ｇ、１４ｈ：残存歯
１５：内側面
１６：被覆部
１７：両端部
１８：連結部固定部
３０：口腔内
【図１】
2018064656.tif 000003
【図２】
2018064656.tif 000004
【図３】
2018064656.tif 000005